(57)【要約】【課題】  フィルタ容器を、移動可能、かつ強固に保持することが可能なフィルタ保持装置が求められる。【解決手段】  フィルタ容器を保持可能であって、鉛直に延在する第１壁面と、第１壁面と反対方向を向いて鉛直に延在する前記第１壁面の裏面である第２壁面とを有するベースユニットの上に脱着可能に取り付けられるフィルタ容器保持用ホルダであって、フィルタ容器保持ホルダは、前記第１壁面に接触可能な第１接触部と、前記第２壁面に接触可能な第２接触部であって、前記第１接触部よりも下側に位置する第２接触部と、前記第１接触部と前記第２接触部とを連結する連結部材と、前記第１接触部と前記第２接触部と前記連結部材との少なくとも一つに接続され、前記フィルタ容器の重量を支持する支持部と、を備えるフィルタ容器保持用ホルダにより解決する。【選択図】  図２
2020081909.tif 000002
【特許請求の範囲】
【請求項１】
鉛直に延在する第１壁面と、第１壁面と反対方向を向いて鉛直に延在する前記第１壁面の裏面である第２壁面とを有するベースユニットの上に脱着可能に取り付けられるフィルタ容器を支持するためのフィルタ容器保持ホルダであって、
前記フィルタ容器保持ホルダは、
前記第１壁面に接触可能な第１接触部と、
前記第２壁面に接触可能な第２接触部であって、前記第１接触部よりも下側に位置する第２接触部と、
前記第１接触部と前記第２接触部とを連結する連結部材と、
前記第１接触部と前記第２接触部と前記連結部材との少なくとも一つに接続され、前記フィルタ容器の重量が付加される加重点と、を備え、
前記フィルタ容器の前記加重点は、前記第２接触部に対して、前記第１接触部と反対側に前記第２接触部と離れた位置に配置されるフィルタ容器保持ホルダ。
【請求項２】
請求項１に記載したフィルタ容器保持ホルダであって、
前記ベースユニットは前記第１壁面と前記第２壁面との間を貫通し鉛直に延在する溝の形状の開口部を有し、
前記連結部材は、材料の特性または幾何形状的による弾性で、前記溝の幅方向の前記第１接触部の幅が前記溝の幅よりも狭い状態と前記溝の幅よりも広い状態との間で変化させることが可能なように変形可能なフィルタ容器保持ホルダ。
【請求項３】
請求項１に記載したフィルタ容器保持ホルダであって、
前記フィルタ容器保持ホルダが前記ベースユニットに取り付けられている状態で、前記第１接触部は、開口部が延在する方向に前記連結部材に形成されていて、前記第２接触部の側の一端の先端は前記開口部の溝幅よりも細くなるように形成されているフィルタ容器保持ホルダ。
【請求項４】
請求項１に記載したフィルタ容器保持ホルダであって、
前記フィルタ容器保持ホルダは、前記第１接触部の側の一端または他端から突出する棒状部材と、前記棒状部材と同じ形状の棒状部材を受容可能な受容部材を他端または一端の側に有し、前記同じ形状の棒状部材を前記受容部材が受容することにより、他のフィルタ容器保持ホルダと連結可能なフィルタ容器保持ホルダ。
【請求項５】
請求項１から４のいずれか一項に記載したフィルタ容器保持ホルダであって、
前記フィルタ容器を保持するフィルタ容器固定具を着脱可能に支持する容器支持部を前記加重点に有するフィルタ容器保持ホルダ。
【請求項６】
鉛直に延在する第１壁面と、第１壁面と反対方向を向いて鉛直に延在する前記第１壁面の裏面である第２壁面とを有するベースユニットの上に脱着可能にフィルタ容器保持ホルダを有するフィルタ容器であって、
前記フィルタ容器保持ホルダは、
前記第１壁面に接触可能な第１接触部と、
前記第２壁面に接触可能な第２接触部であって、前記第１接触部よりも下側に位置する第２接触部と、
前記第１接触部と前記第２接触部とを連結する連結部材と、
前記第１接触部と前記第２接触部と前記連結部材との少なくとも一つに接続され、前記フィルタ容器の重量が付加される加重点と、を備え、
前記フィルタ容器の前記加重点は、前記第２接触部に対して、前記第１接触部と反対側に前記第２接触部と離れた位置に配置されるフィルタ容器。
【請求項７】
請求項６に記載したフィルタ容器であって、
前記ベースユニットは前記第１壁面と前記第２壁面との間を貫通し鉛直に延在する溝の形状の開口部を有し、
前記連結部材は、材料の特性または幾何形状的による弾性で、前記溝の幅方向の前記第１接触部の幅が前記溝の幅よりも狭い状態と前記溝の幅よりも広い状態との間で変化させることが可能なように変形可能なフィルタ容器。
【請求項８】
請求項６に記載したフィルタ容器であって、
前記フィルタ容器保持ホルダが前記ベースユニットに取り付けられている状態で、前記第１接触部は、開口部が延在する方向に前記連結部材に形成されていて、前記第２接触部の側の一端の先端は前記開口部の溝幅よりも細くなるように形成されているフィルタ容器。
【発明の詳細な説明】
【技術分野】
【０００１】
本願発明は、フィルタ容器保持ホルダ、およびそれを有するフィルタ容器に関する。
【背景技術】
【０００２】
流体の濾過を目的とした管路では、その管路の一部に、フィルタ等が内蔵され、脱着して交換が可能な交換ユニットとしてのフィルタ容器が配置される。このような管路では、上流側の管路の端部と下流側の管路の端部との間に、管路の一部を欠いていて、フィルタ容器は、この上流側の管路の端部と下流側の管路の端部との間に、脱着可能に取り付けることが可能な構造を有している。たとえば、所定量の濾過が終了した際などに、寿命が経過したフィルタ容器は取り外されて、新しいフィルタ容器に交換される。
【０００３】
フィルタ容器は、流路入口と流路出口を有し、フィルタ容器内部において、その流路入口と流路出口との間に流路が形成される。その流路の途中にフィルタが配置され、そのフィルタで流路内の流体に含まれる粒子を捕捉する。従来、一般には、上流側の管路の端部と下流側の管路の端部は、マニホールドの一部として構成されていて、交換ユニットがマニホールドに取り付けられると、交換ユニットの流路入口が上流側管路の端部と接合し、流路出口が下流側管路の端部と接合する。これで、一部を欠いている管路に交換ユニットの流路が結合され、流れ回路システムの管路が完成する。
【０００４】
特許文献１には、既設管路の一部として、脱着して交換が可能なフィルタ容器の一例が開示されている。特許文献１では、マニホールドの上流側の管路の端部と下流側の管路の端部との間に、フィルタ容器の管路接合部を中心にフィルタ容器を回転動作で嵌め込むように取り付けられる。特許文献１では、フィルタ容器が取り付けるための上流側の管路の端部と下流側の管路の端部との間の距離が不変であるため、上流側の管路の端部と下流側の管路の端部との間の距離より長いフィルタ容器を嵌め込んで固定している。
【０００５】
これに対し、特許文献２には、流し台で使用される浄水器カートリッジが開示されている。ここでは、上流側の管路の端部と下流側の管路の端部との間にフィルタ容器を入れて、流路軸に沿ってスライド可能な剛性の高いスリーブ管を浄水器カートリッジに伸ばして固定する装置が開示されている。すなわち、特許文献２では、フィルタ容器が取り付けるための管路の上流側の管路の端部と下流側の管路の端部との間の距離が可変の例である。特許文献２では、剛性の高い上流側の管路の端部を流路軸に沿ってスライドさせて、上流側の管路の端部と下流側の管路の端部との間の距離を縮めるとともに、フィルタ容器の流路入口と流路出口とを挟持して固定している。
【先行技術文献】
【特許文献】
【０００６】
【特許文献１】特許４７２３５３１号公報
【特許文献２】特開平３−１２３６８９号公報
【発明の概要】
【発明が解決しようとする課題】
【０００７】
フィルタ容器の種類型式の違いのため、または同形式内でのフィルタ容器の製造公差のために、フィルタ容器の流路入口と流路出口の長さはばらついている。したがって、特許文献２のように、フィルタ容器の取り付けるための管路の上流側の管路の端部と下流側の管路の端部との間の距離が可変とできれば便利である。そして、さらに、上流側の管路の端部と下流側の管路の端部とを剛性が低く柔軟なフレキシブルチューブとすることができれば、非常に便利である。しかし、上流側の管路の端部と下流側の管路の端部とを剛性が低く柔軟なフレキシブルチューブとするためには、フィルタ容器を適切に支持し、その位置の調整がしやすいフィルタ容器の保持装置が必要となる。また、その保持装置は着脱が容易であることが望ましい。
【課題を解決するための手段】
【０００８】
鉛直に延在する第１壁面と、第１壁面と反対方向を向いて鉛直に延在する前記第１壁面の裏面である第２壁面とを有するベースユニットの上に脱着可能に取り付けられるフィルタ容器を支持するためのフィルタ容器保持ホルダであって、前記フィルタ容器保持ホルダは、前記第１壁面に接触可能な第１接触部と、前記第２壁面に接触可能な第２接触部であって、前記第１接触部よりも下側に位置する第２接触部と、前記第１接触部と前記第２接触部とを連結する連結部材と、前記第１接触部と前記第２接触部と前記連結部材との少なくとも一つに接続され、前記フィルタ容器の重量が付加される加重点と、を備え、前記フィルタ容器の前記加重点は、前記第２接触部に対して、前記第１接触部と反対側に前記第２接触部と離れた位置に配置されるフィルタ容器保持ホルダにより、解決する。
【０００９】
鉛直に延在する第１壁面と、第１壁面と反対方向を向いて鉛直に延在する前記第１壁面の裏面である第２壁面とを有するベースユニットの上に脱着可能にフィルタ容器保持ホルダを有するフィルタ容器であって、前記フィルタ容器保持ホルダは、前記第１壁面に接触可能な第１接触部と、前記第２壁面に接触可能な第２接触部であって、前記第１接触部よりも下側に位置する第２接触部と、前記第１接触部と前記第２接触部とを連結する連結部材と、前記第１接触部と前記第２接触部と前記連結部材との少なくとも一つに接続され、前記フィルタ容器の重量が付加される加重点と、を備え、前記フィルタ容器の前記加重点は、前記第２接触部に対して、前記第１接触部と反対側に前記第２接触部と離れた位置に配置されるフィルタ容器により、解決する。
【発明の効果】
【００１０】
本発明により、移動可能であり、着脱が容易であって、フィルタ容器を強固に保持することができるフィルタ保持ホルダが実現される。
【図面の簡単な説明】
【００１１】
【図１】本発明が適用される実施の形態のフィルタ保持ホルダの概念を示している。
【図２】本発明が適用される実施の形態に対応する実施例１のフィルタ保持ホルダの斜視図である。
【図３Ａ】図２の断面３Ａ−３Ａを示した図である。
【図３Ｂ】図２の断面３Ｂ−３Ｂを示した図である。
【図４Ａ】図３Ａの断面４Ａ−４Ａを示した図である。
【図４Ｂ】図３Ａの断面４Ｂ−４Ｂを示した図である。
【図４Ｃ】図３Ａの断面４Ｃ−４Ｃを示した図である。
【図５】本発明が適用される実施の形態に対応する実施例１のフィルタ保持ホルダを取り外す状態における側面断面を示した図である。
【図６Ａ】本発明が適用される実施の形態に対応する実施例２のフィルタ保持ホルダを示した図である。
【図６Ｂ】本発明が適用される実施の形態に対応する実施例３のフィルタ保持ホルダを示した図である。
【図６Ｃ】本発明が適用される実施の形態に対応する実施例４のフィルタ保持ホルダを示した図である。
【図７】本発明が適用される実施の形態に対応する実施例５のフィルタ保持ホルダを示した図である。
【図８】図７に示した断面８−８を示した図であって、実施例５のフィルタ保持ホルダの側面断面を示した図である。
【発明を実施するための形態】
【００１２】
図１を参照して、本発明の実施の形態について説明する。図１は本発明の実施の形態にとしてのフィルタ容器保持ホルダ１を示している。
【００１３】
まず、図１を参照して、本発明の実施の形態のフィルタ容器保持ホルダ１について説明する。フィルタ容器保持ホルダ１は、鉛直に延在する壁面Ｗａ（第１壁面）と、壁面Ｗａと反対方向を向き、壁面Ｗａの裏面であって鉛直に延在する壁面Ｗｂ（第２壁面）と、を有するベースユニット上で脱着可能に取り付けられる装置である。フィルタ容器保持ホルダ１は、第１接触部１１と第２接触部１２とフィルタ容器ホルダ１３とを備えている。第１接触部１１と第２接触部１２とは連結部材１４で接合されている。連結部材１４の一端に第１接触部１１が、連結部材１４の他端に第２接触部１２が、連結されている。フィルタ容器ホルダ１３の一端１３ａは、第１接触部１１と第２接触部１２との間の任意の位置に、連結されている。フィルタ容器ホルダ１３の他端１３ｂは加重点となる。加重点には重量Ｗのフィルタ容器Ｃが取り付け可能である。ここでは加重点は連結部材１４と接続しているが、加重点は第１接触部１１と第２接触部１２と連結部材１４との少なくとも一つに接続されていればよい。ベースユニットＢＵでは、壁面Ｗａが内面にあたり、壁面Ｗｂが外面にあたる。ベースユニットＢＵ上には、壁面Ｗａと壁面Ｗｂとを連通する開口部Ｏが配置されている。開口部Ｏは、壁面Ｗａと壁面Ｗｂとの間を貫通し鉛直に延在する溝の形状である。連結部材１４が開口部Ｏを貫通することで、フィルタ容器保持ホルダ１は、第１接触部１１が壁面Ｗａに接触可能であって、第２接触部１２が壁面Ｗｂに接触可能なように取り付ける。第１接触部１１は第２接触部１２の上側に位置する。
【００１４】
フィルタ容器Ｃの重量Ｗが付加される加重点であるフィルタ容器ホルダ１３の他端１３ｂは、フィルタ容器ホルダ１３の一端１３ａ付近を中心として、連結部材１４に回転モーメントＭを発生させる。逆に言えば、連結部材１４に回転モーメントＭを発生させることが可能な位置にフィルタ容器ホルダ１３を配置することができる。すなわち、加重点は、第２接触部１２に対して、第１接触部と反対側に第２接触部１２と離れた位置に配置される。回転モーメントＭは、第１接触部１１がフィルタ容器ホルダ１３のフィルタ容器Ｃに近づく方向であって、第２接触部１２がフィルタ容器ホルダ１３のフィルタ容器Ｃから遠ざかる方向に回転する回転モーメントである。回転モーメントＭにより、連結部材１４は、第１接触部１１を壁面Ｗａに押し付ける押圧力Ｐｗａを生じさせ、第２接触部１２を壁面Ｗｂに押し付ける押圧力Ｐｗｂを生じさせる。壁面Ｗａには、壁面Ｗａへの押圧力Ｐｗａにより摩擦力Ｆｗａが生じて第１接触部１１が鉛直方向に落下することを防ぐ。また、壁面Ｗｂには、壁面Ｗｂへの押圧力Ｐｗｂにより摩擦力Ｆｗｂが生じて第２接触部１２が鉛直方向に落下することを防ぐ。これにより、フィルタ容器保持ホルダ１は、壁面Ｗａと、壁面Ｗｂとを有するベースユニット上に、フィルタ容器ホルダ１３を保持することが可能である。また、フィルタ容器保持ホルダ１は、ベースユニットの壁面Ｗａと壁面Ｗｂ上に摩擦力で保持されるものであるから、フィルタ容器Ｃの重量Ｗに応じて、フィルタ容器ホルダ１３の他端１３ｂの位置を設定可能である。
【００１５】
フィルタ容器ホルダ１３と連結部材１４とは分離可能にして、フィルタ容器ホルダ１３を着脱可能に設定することができる。フィルタ容器Ｃとフィルタ容器ホルダ１３とを分離可能にすることも可能である。フィルタ容器ホルダ１３と連結部材１４の形状は図１のように棒状に限られない。第１接触部１１と第２接触部１２との間で剛に荷重の経路が形成されて、回転モーメントＭを発生させることができる限り、形状の制限はない。
【実施例】
【００１６】
（実施例１）
図２から図５を参照して、本発明の実施の形態について説明する。図２は本発明の実施の形態のフィルタ容器保持ホルダ１に対応する実施例１のフィルタ容器保持ホルダ５ａを示している。図３ＡはベースユニットＢＵの断面の内部側からフィルタ容器保持ホルダ５ａの正面を見た断面図である。図３ＢはベースユニットＢＵに取り付けられているフィルタ容器保持ホルダ５ａの側面を見た断面図である。図４Ａは、ベースユニットＢＵに取り付けられているフィルタ容器保持ホルダ５ａの上側の断面を見た断面図であり、図３Ａの断面４Ａ−４Ａに対応する。図４Ｂは、ベースユニットＢＵに取り付けられているフィルタ容器保持ホルダ５ａの中段部の断面を見た断面図であり、図３Ａの断面４Ｂ−４Ｂに対応する。図４Ｃは、ベースユニットＢＵに取り付けられているフィルタ容器保持ホルダ５ａの下部断面を見た断面図であり、図３Ａの断面４Ｃ−４Ｃに対応する。
【００１７】
フィルタ容器保持ホルダ５ａは、着脱可能にベースユニットＢＵに取り付けられるものである。ベースユニットＢＵは代表的には鉛直方向に延在する柱状部材である。ベースユニットＢＵは鉛直に延在する壁面Ｗａと、壁面Ｗａの裏側であって、壁面Ｗａと反対方向を向き、鉛直に延在する壁面Ｗｂと、を有する。壁面Ｗａと壁面Ｗｂは、それぞれ、ベースユニットＢＵの正面板ＢＵ１(厚さｔ)の裏面と表面に対応する。ベースユニットＢＵの正面板ＢＵ１には一定の幅Ｄで形成される溝状の開口部Ｏが配置されている。開口部Ｏは鉛直方向に延在する溝形状であって正面板ＢＵ１の裏面と表面と連通する連通部である。開口部Ｏにより、ベースユニットＢＵの内外が連通している。
【００１８】
フィルタ容器保持ホルダ５ａは、上押さえ部５１と下押さえ部５２とフィルタ容器保持ホルダ５ａの本体と連結部材５４とを備えている。フィルタ容器保持ホルダ５ａの本体には、連結部材５４と反対側にフィルタ容器を支持することが可能な容器支持部５７が取り付けられている。容器支持部５７は、この実施例では連結部材５４と接続している。ベースユニットＢＵは細長の形状で、フィルタ容器保持ホルダ５ａがベースユニットＢＵに取り付けられた際に、フィルタ容器保持ホルダ５ａの溝の方向に沿って延在するような形状である。連結部材５４は、フィルタ容器保持ホルダ５ａから突出するように形成される部材であって、フィルタ容器保持ホルダ５ａの長手方向に沿って延在する形状である。連結部材５４は、連結部材５４をベースユニットＢＵの開口部Ｏに挿入してフィルタ容器保持ホルダ５ａをベースユニットＢＵに取り付けた際に、ベースユニットＢＵの正面板ＢＵ１の面に垂直な方向にベースユニットＢＵの外部から内部に向かって延出するとともに、鉛直方向に延在する部材である。上押さえ部（第１接触部）５１は連結部材５４の鉛直方向の一端側に形成されていて、下押さえ部（第２接触部）５２は上押さえ部５１が形成されていない側の連結部材５４の他端側に接合されている。フィルタ容器保持ホルダ５ａをベースユニットＢＵに取り付けた際には、フィルタ容器保持ホルダ５ａの本体に対してベースユニットＢＵの正面板ＢＵ１と垂直な方向に、容器支持部５７が連結部材５４と反対側に配置されている。
【００１９】
上押さえ部５１は、連結部材５４の先端側に、連結部材５４の延出方向に対して垂直な方向に広がるように形成される。すなわち、連結部材５４がベースユニットＢＵの開口部Ｏに挿入されてフィルタ容器保持ホルダ５ａをベースユニットＢＵに取り付けた際には、連結部材５４の先端は、ベースユニットＢＵの内面に到達し、上押さえ部５１はそこから壁面Ｗａに沿って、開口部Ｏから両側に広がるように形成されている。上押さえ部５１は、連結部材５４に沿って鉛直方向にも延在するように形成され、フィルタ容器保持ホルダ５ａがベースユニットＢＵに取り付けられた際に、壁面Ｗａと接触可能な面を持つように形成されている。連結部材５４は、材料の特性または幾何形状的による弾性で、開口部Ｏの溝の幅方向に、上押さえ部５１の幅がその溝の幅よりも狭い状態とその溝の幅よりも広い状態と変化するように、変形可能である。すなわち、フィルタ容器保持ホルダ５ａをベースユニットＢＵに取り付けた状態において、開口部Ｏの溝の幅方向の連結部材５４の幅ｄは溝の幅Ｄよりも小さく、開口部Ｏの溝の幅方向の上押さえ部５１の幅は溝の幅Ｄよりも大きい。フィルタ容器保持ホルダ５ａのうち、少なくとも上押さえ部５１と連結部材５４とは、材料の特性として、弾性のある材料でできている。たとえば、連結部材５４は開口部Ｏに挿入可能であって離間して配置される弾力のある２本の連結部材爪５４ａ，５４ｂであって、その離間している距離を調整することが可能であるように構成することができる。すなわち、連結部材５４は、連結部材爪５４ａと連結部材爪５４ｂとに分かれていて、上押さえ部５１は、第１接触部爪５１ａと第１接触部爪５１ｂとに分かれている。第１接触部爪５１ａは連結部材爪５４ａがベースユニットＢＵの正面板ＢＵ１の面外方向であってベースユニットＢＵの内部に向けて延出した先端に壁面Ｗａに沿って開口部Ｏから離れる方向に突き出している。第１接触部爪５１ｂは連結部材爪５４ｂがベースユニットＢＵの正面板ＢＵ１の面外方向であってベースユニットＢＵの内部に向けて延出した先端に壁面Ｗａに沿って開口部Ｏから離れる方向に突き出している。これによって、連結部材爪５４ａと連結部材爪５４ｂとが互いに撓むことで幾何形状的に弾性を持たせている構成となっている。幾何形状の特性から生じる弾性により、上押さえ部５１は、フィルタ容器保持ホルダ５ａがベースユニットＢＵに取り付けられた際に、開口部Ｏの溝の幅方向の連結部材５４の幅が縮まり、それによって上押さえ部５１の幅は溝の幅Ｄよりも小さくなって連結部材５４の開口部Ｏの中に挿入される。
【００２０】
下押さえ部５２は、フィルタ容器保持ホルダ５ａをベースユニットＢＵに取り付けた状態において、フィルタ容器保持ホルダ５ａの本体の長手方向に沿って、開口部Ｏの延在する方向に沿って上押さえ部５１と反対側に形成され、フィルタ容器保持ホルダ５ａがベースユニットＢＵに取り付けられた際に、壁面Ｗｂと接触可能な面を持つように形成される。すなわち、上押さえ部５１と下押さえ部５２とは、フィルタ容器保持ホルダ５ａがベースユニットＢＵに取り付けられた際に、壁面Ｗａと対向する上押さえ部５１の面と壁面Ｗｂと対向する下押さえ部５２の面とが平行になるように形成されている。
【００２１】
壁面Ｗａに対向する上押さえ部５１の面と壁面Ｗｂに対向する下押さえ部５２との面間距離は、壁面Ｗａと壁面Ｗｂとの面間距離、すなわちベースユニットＢＵの正面板ＢＵ１のほぼ厚さｔとなるように形成されている。連結部材５４の幅ｄが元に戻って上押さえ部５１がベースユニットＢＵの内部に収まって、フィルタ容器保持ホルダ５ａをベースユニットＢＵに取り付けた状態においては、壁面Ｗａに対向する上押さえ部５１の面と壁面Ｗｂに対向する下押さえ部５２の面とで、ベースユニットＢＵの正面板ＢＵ１を挟持する。
【００２２】
フィルタ容器Ｃはフィルタ容器固定具５９に取り付けられて容器支持部５７に取り付けられる。フィルタ容器固定具５９は、フィルタ容器Ｃを挟持するアーム５８を有している。また、フィルタ容器固定具５９は、フィルタ容器Ｃの軸方向に延在する取付棒５９ａを有している。アーム５８で挟持されたフィルタ容器Ｃはフィルタ容器固定具５９の取付棒５９ａにより容器支持部５７には挿入されてフィルタ容器保持ホルダ５ａに取り付けられる。フィルタ容器Ｃがフィルタ容器固定具５９に保持されて、フィルタ容器固定具５９の取付棒５９ｂが容器支持部５７に挿入されると、フィルタ容器Ｃの重量Ｗが力点Ｅである加重点に付加される。
【００２３】
このとき、フィルタ容器Ｃの重量が加重点に付加されると、その加重点が力点Ｅとなり、下押さえ部５２の下側Ｆ部が支点となって、上押さえ部５１が作用点Ａとなり下押さえ部５２の下側Ｆ部の支点を中心に回転モーメントがかかり、上押さえ部５１がベースユニットＢＵの内壁面Ｗａを押し、下押さえ部５２がベースユニットＢＵの壁面Ｗｂを押してフィルタ容器保持ホルダ５ａがベースユニットＢＵに固定される。一般に、連結部材５４が延在する方向の上押さえ部５１の長さと下押さえ部５２の長さを長くすれば、壁面Ｗａを押す上押さえ部５１の面積と壁面Ｗｂを押す下押さえ部５２の面積とが大きくなり、フィルタ容器保持ホルダ５ａをベースユニットＢＵに取り付ける固定力が大きくなる。
【００２４】
フィルタ容器保持ホルダ５ａをベースユニットＢＵに取り付けた状態において、上押さえ部５１は、開口部Ｏが延在する方向に沿って下押さえ部５２の側に、開口部の溝の幅Ｄよりも細くなるような先細となる形状の先細部５３を有している。すなわち、第１接触部爪５１ａと第１接触部爪５１ｂとがそれぞれ下押さえ部５２の側に向かって開口部Ｏが延在する方向に沿って細くなる形状の先細部５３ａ，５３ｂとを有している。開口部Ｏの溝幅方向である先細部５３の先端の幅、すなわち先細部５３ａ，５３ｂの幅は、開口部Ｏの幅Ｄよりも小さい。たとえば、本実施例のように、下押さえ部５２の開口部Ｏが延在する方向の長さを連結部材５４の長さより短くして、連結部材５４が延在する方向のうち、上押さえ部５１が位置していない位置となるように下押さえ部５２を配置する。
【００２５】
フィルタ容器保持ホルダ５ａをベースユニットＢＵに取り付けた状態において、先細部５３ａ，５３ｂの位置は上押さえ部５１のうち、開口部Ｏが延在する方向に沿って下押さえ部５２の側に位置するようにする。また、上押さえ部５１は、フィルタ容器保持ホルダ５ａがベースユニットＢＵに取り付けられた際に、壁面Ｗａと接する面を持つように形成されているが、先細部５３ａ，５３ｂ側を配置する位置では、先細部５３ａ，５３ｂが細くなる方向に従って壁面Ｗａから壁面Ｗａと垂直な方向に徐々に離れるような逃げ部５５を有している。支点部５２ａと逃げ部５５とは、フィルタ容器保持ホルダ５ａを取り外すときに機能する。先細部５３ａ，５３ｂ側であって壁面Ｗｂに接触する側の下押さえ部５２の縁部を支点部５２ａとする。これにより、下押さえ部５２の縁部を支点部５２ａとしてフィルタ容器保持ホルダ５ａを傾けると、ベースユニットＢＵに取り付けられた際に壁面Ｗａと接していた上押さえ部５１の面が逃げ部５５によって傾くことが可能となる。開口部Ｏの溝幅方向の先細部５３ａ，５３ｂの位置と支点部５２ａとの距離を長くとれば、先細の形状の先細部５３が開口部Ｏから導出しやすくなり、フィルタ容器保持ホルダ５ａを傾けやすくなるとともに、フィルタ容器保持ホルダ５ａをベースユニットＢＵにから取り外しやすくなる。
【００２６】
支点部５２ａは、先細部５３が開口部Ｏから抜け出るような方向にフィルタ容器保持ホルダ５ａを傾けた時に、フィルタ容器保持ホルダ５ａがベースユニットＢＵの正面板ＢＵ１の壁面Ｗｂ側に接触する部位である。代表的には、支点部５２ａは下押さえ部５２の縁部に取ることが有利であるが、支点部５２ａは下押さえ部５２の縁部でなくても、連結部材５４の延在する方向の任意の位置に配置することができる。支点部５２ａが支点Ｆとなり、フィルタ容器保持ホルダ５ａを取り外すような力をフィルタ容器保持ホルダ５ａの下側に付加するとその部位全体が力点Ｅとなり、先細部５３の下部が作用点Ａとなって、連結部材５４の幅ｄを縮めるような力が付加される。このとき、作用点Ａが先細部５３の上部に移ると、その先細部が上押さえ部５１と連結部材５４とを開口部Ｏから抜き出すような力を生じさせる。これにより、フィルタ容器保持ホルダ５ａを傾けながら力点の位置を調整すると、フィルタ容器保持ホルダ５ａがベースユニットＢＵの正面板ＢＵ１の壁面Ｗｂ側に接触し、そこを支点として、上押さえ部５１のうち、先細の形状の先細部５３ａ，５３ｂが開口部Ｏから最初に導出される。先細の形状の先細部５３ａ，５３ｂの先端角度を細くすると、すなわち、連結部材５４が延在する方向の先細部５３ａ，５３ｂの長さを長くすると、先細部５３ａ，５３ｂが開口部Ｏから容易に導出しやすくなり、フィルタ容器保持ホルダ５ａをベースユニットＢＵから取り外しやすくなる。先細部５３ａ，５３ｂの鉛直方向の位置は作用点Ａとなるので、支点Ｆとなる支点部５２ａより上側になるように設定する。
【００２７】
続いて、図４Ａから図４Ｃおよび図５を参照して、フィルタ容器保持ホルダ５ａをいかにベースユニットＢＵに脱着するかについて説明する。まず、フィルタ容器保持ホルダ５ａをベースユニットＢＵに取り付ける際には、フィルタ容器保持ホルダ５ａの連結部材５４である連結部材爪５４ａと連結部材爪５４ｂを開口部Ｏに挿入し、上押さえ部５１である第１接触部爪５１ａと第１接触部爪５１ｂとをベースユニットＢＵの正面板ＢＵ１の外側から溝状の開口部Ｏを通じて、ベースユニットＢＵの内部に押し込む。そうすると、連結部材爪５４ａと連結部材爪５４ｂとの幅が縮まり、それにより第１接触部爪５１ａと第１接触部爪５１ｂとの幅が開口部Ｏの幅Ｄよりも小さくなって、上押さえ部５１が開口部ＯからベースユニットＢＵの内部に押し入る。ベースユニットＢＵの内部に入った後に、上押さえ部５１の第１接触部爪５１ａと第１接触部爪５１ｂとの幅は元に戻り、フィルタ容器Ｃの加重が容器支持部５７に付加されると、上押さえ部５１と下押さえ部５２とでベースユニットＢＵの正面板ＢＵ１を挟持するとともに、回転モーメントＭが生じて、フィルタ容器保持ホルダ５ａがベースユニットＢＵに取り付けられる。
【００２８】
回転モーメントＭは、上押さえ部５１をフィルタ容器Ｃの重量Ｗの加重点に近づける方向であって、下押さえ部５２がフィルタ容器Ｃの加重点から遠ざかる方向に回転する回転モーメントＭである。回転モーメントＭにより、連結部材５４は、上押さえ部５１を壁面Ｗａに押し付ける力を生じさせ、下押さえ部５２を壁面Ｗｂに押し付ける力を生じさせる。壁面Ｗａには、壁面Ｗａへの押圧力により摩擦力が生じて上押さえ部５１が鉛直方向に落下することを防ぐ。また、壁面Ｗｂには、壁面Ｗｂへの押圧力により摩擦力が生じて下押さえ部５２が鉛直方向に落下することを防ぐ。
【００２９】
フィルタ容器保持ホルダ５ａの下押さえ部５２を壁面Ｗｂから離すようにフィルタ容器保持ホルダ５ａをベースユニットＢＵの正面板ＢＵ１に対して傾けるようにすると、支点部５２ａがベースユニットＢＵの正面板ＢＵ１の壁面Ｗｂに接触する。ここで、支点部５２ａを中心に下押さえ部５２を作用点として上押さえ部５１の先細部５３を開口部Ｏから引き抜くようにすると、上押さえ部５１の上押さえ部５１である第１接触部爪５１ａと第１接触部爪５１ｂとは先細部５３ａ，５３ｂから徐々に開口部Ｏに押し入って、上押さえ部５１はその弾性によって幅ｄが開口部Ｏの幅Ｄになるように小さくなって上押さえ部５１が開口部Ｏから引き抜かれる。すなわち、上押さえ部５１が開口部Ｏから引き抜かれる際に上押さえ部５１に生じる抵抗力に対して、支点部５２ａが壁面Ｗｂに接触した箇所を支点としてフィルタ容器保持ホルダ５ａを傾けることによる「てこの原理」で増幅された引抜き力によって、上押さえ部５１の開口部Ｏの溝幅方向の幅はその弾性によって開口部Ｏの幅よりも小さくなって容易に引き抜くことが可能となる。
【００３０】
（実施例２）
図６Ａを参照して、別の形態の実施例として実施例２について説明する。図６Ａは本発明の実施の形態に対応する実施例２におけるフィルタ容器保持ホルダ５ｂを示している。実施例１では、フィルタ容器保持ホルダ５ａとフィルタ容器固定具５９とを分離させていた。これに対し、実施例２のフィルタ容器保持ホルダ５ｂは、フィルタ容器保持ホルダ５ａとフィルタ容器固定具５９を一体化させている。ここでは、異なっている部分だけを説明する。その他の部分において、実施例１のフィルタ容器保持ホルダ５ａと実施例２のフィルタ容器保持ホルダ５ｂは同じである。すなわち、実施例２では、実施例１のフィルタ容器保持ホルダ５ａにフィルタ容器Ｃを保持するアーム５８を直接取り付けている。これにより、フィルタ容器Ｃはフィルタ容器固定具５９を介することなく、フィルタ容器保持ホルダ５ｂに固定可能である。
【００３１】
（実施例３）
図６Ｂを参照して、別の形態の実施例として実施例３について説明する。図６Ｂは本発明の実施の形態に対応する実施例３におけるフィルタ容器保持ホルダ５ｃを示している。実施例１では、フィルタ容器固定具５９とフィルタ容器Ｃとを分離させていた。これに対し、実施例３ではフィルタ容器保持ホルダ５ｃにフィルタ容器Ｃが一体化している。ここでは、異なっている部分だけを説明する。その他の部分において、実施例１のフィルタ容器保持ホルダ５ａと実施例３のフィルタ容器保持ホルダ５ｃは同じである。すなわち、実施例３では、フィルタ容器Ｃの外表面を実施例１におけるフィルタ容器保持ホルダ５ａを直接一体的に形成させる。これにより、フィルタ容器Ｃは、フィルタ容器固定具５９を介することなく、フィルタ容器ＣをベースユニットＢＵに直接脱着可能となる。
【００３２】
（実施例４）
図６Ｃを参照して、別の形態の実施例として実施例４について説明する。図６Ｃは本発明の実施の形態に対応する実施例４におけるフィルタ容器保持ホルダ６を示している。実施例１から３では、連結部材５４を連結部材爪５４ａと連結部材爪５４ｂとに、上押さえ部５１を第１接触部爪５１ａと第１接触部爪５１ｂとに分割し、幾何形状により、連結部材５４と上押さえ部５１とのそれぞれの開口部Ｏの溝幅方向の幅を変更可能としていたものである。これに対し、実施例４では、連結部材５４を連結部材爪５４ａと連結部材爪５４ｂとに、上押さえ部５１を第１接触部爪５１ａと第１接触部爪５１ｂとに分割せずに、上押さえ部５１と連結部材５４とを一体にした例である。上押さえ部５１と連結部材５４との材料を弾性力の強い材料とすることにより、材料の特性により、連結部材５４と上押さえ部５１とのそれぞれの開口部Ｏの溝幅方向の幅を変更可能とするものである。連結部材５４と上押さえ部５１とは、実施例１と同様に機能する。
【００３３】
（実施例５）
図７および図８を参照して、別の実施例５であるフィルタ容器保持ホルダ７について説明する。実施例５のフィルタ容器保持ホルダ７では、複数のフィルタ容器保持ホルダ７を組み合わせて使用することが可能な形態である。図７は２つのフィルタ容器保持ホルダ７を連結させてベースユニットＢＵに取り付けた図である。図８は、図７の断面８−８を示した図である。フィルタ容器保持ホルダ７は、結合部５６を有していることを除いて実施例１のフィルタ容器保持ホルダ５ａと同じである。ここでは、実施例１と異なる点について説明する。フィルタ容器保持ホルダ７は、上押さえ部５１の側のフィルタ容器保持ホルダ７の一端から突出する棒状部材５６ａと、前記棒状部材と同じ形状の棒状部材を受容可能な受容部材５６ｂをフィルタ容器保持ホルダ７の他端側に有している。一のフィルタ容器保持ホルダ７が、他のフィルタ容器保持ホルダ７の棒状部材５６ａ（一のフィルタ容器保持ホルダ７の棒状部材と同じ形状）をその一のフィルタ容器保持ホルダ７の受容部材５６ｂが受容することにより、他のフィルタ容器保持ホルダ７と連結可能な点が異なっている。
【００３４】
すなわち、フィルタ容器保持ホルダ７は、結合部５６として、棒状部材５６ａと受容部材５６ｂとを有している点が異なっている。棒状部材５６ａはフィルタ容器保持ホルダ７の本体の長手方向、すなわち、フィルタ容器保持ホルダ７がベースユニットＢＵに取り付けられた際に、開口部Ｏの延在する方向に沿って上押さえ部５１のうち先細部５３ａ，５３ｂが配置されていない側の端部から突出するように延在するように形成されている。受容部材５６ｂは棒状部材５６ａの断面の大きさとほぼ同じ大きさを有し、棒状部材５６ａを着脱可能に受容可能であって、棒状部材５６ａが突出している側の端部と反対側に配置されている。フィルタ容器保持ホルダ７は少なくとも２個連結可能であって、フィルタ容器保持ホルダ７は２個連結すると、すなわち、一方のフィルタ容器保持ホルダ７の下押さえ部５２の側である受容部材５６ｂに他方のフィルタ容器保持ホルダ７の上押さえ部５１の側に配置された棒状部材５６ａを挿入するように連結すると、一方のフィルタ容器保持ホルダ７の受容部材５６ｂが他方のフィルタ容器保持ホルダ７の棒状部材５６ａを受容して結合可能である。逆に、一方のフィルタ容器保持ホルダ７の受容部材５６ｂから他方のフィルタ容器保持ホルダ７の棒状部材５６ａを引き抜くと分離可能である。
【００３５】
一方のフィルタ容器保持ホルダ７の受容部材５６ｂの側に他方のフィルタ容器保持ホルダ７の棒状部材５６ａを挿入するように連結するときに、フィルタ容器保持ホルダ７の棒状部材５６ａは、その棒状部材５６ａが挿入されている受容部材５６ｂを介してフィルタ容器保持ホルダ７をベースユニットＢＵから離れるように荷重を付加する。これにより、フィルタ容器保持ホルダ７をベースユニットＢＵに取り付けた際、下側のフィルタ容器保持ホルダ７は実施例１と同じ仕組みでベースユニットＢＵに固定された上に、上側のフィルタ容器保持ホルダ７にも実施例１と同じ仕組みでベースユニットＢＵに固定されるので、連結された２つのフィルタ容器保持ホルダ７では、上押さえ部５１と下押さえ部５２には実施例１の場合の１つのフィルタ容器保持ホルダ５ａよりも２倍の力が付加されることになり、２つのフィルタ容器保持ホルダ７にかかる全体の回転モーメントＭも大きくなり、１個のフィルタ容器保持ホルダ５ａが鉛直方向に落下することを防ぐ摩擦力がされに増強させるように機能させることができ、いわばストッパとしての機能を備えることになる。
【００３６】
ここでは、フィルタ容器保持ホルダ７は、上押さえ部５１の側のフィルタ容器保持ホルダ７の一端側である上押さえ部５１の側から棒状部材５６ａが突出し、フィルタ容器保持ホルダ７の他端側である下押さえ部５２の側に受容部材５６ｂを配置する例で説明した。しかし、これは逆でも良い。すなわち、フィルタ容器保持ホルダ７の一端側である上押さえ部５１の側に受容部材５６ｂを配置して、フィルタ容器保持ホルダ７の他端側である下押さえ部５２の側から棒状部材５６ａが突出するような配置にしてもよい。すなわち、一方のフィルタ容器保持ホルダ７の上押さえ部５１側の受容部材５６ｂに他方のフィルタ容器保持ホルダ７の下押さえ部５２側の棒状部材５６ａを挿入するように連結すると、上記の例と同様に、一方のフィルタ容器保持ホルダ７の受容部材５６ｂが他方のフィルタ容器保持ホルダ７の棒状部材５６ａを受容して結合する。逆に、一方のフィルタ容器保持ホルダ７の受容部材５６ｂから他方のフィルタ容器保持ホルダ７の棒状部材５６ａを引き抜くように分離すれば同じ効果を奏する。少なくとも２つ以上のフィルタ容器保持ホルダ７を分離可能かつ結合可能な構成とすることができる。
【符号の説明】
【００３７】
１，５ａ，５ｂ，５ｃ，６，７  フィルタ容器保持ホルダ
１１，５１  上押さえ部（第１接触部）
１２，５２  下押さえ部（第２接触部）
５３  先細部
１３，５７  容器支持部
１４，５４  連結部材
５５  逃げ部
５９  フィルタ容器固定具
ＢＵ  ベースユニット
Ｃ  フィルタ容器
Ｏ  開口部
Ｗａ，Ｗｂ  壁面
【図１】
2020081909.tif 000003
【図２】
2020081909.tif 000004
【図３Ａ】
2020081909.tif 000005
【図３Ｂ】
2020081909.tif 000006
【図４Ａ】
2020081909.tif 000007
【図４Ｂ】
2020081909.tif 000008
【図４Ｃ】
2020081909.tif 000009
【図５】
2020081909.tif 000010
【図６Ａ】
2020081909.tif 000011
【図６Ｂ】
2020081909.tif 000012
【図６Ｃ】
2020081909.tif 000013
【図７】
2020081909.tif 000014
【図８】
2020081909.tif 000015